(57)【要約】 【課題】  カフを安定的に装着でき、かつ侵襲度を低く抑えながら、血圧を測定できるカフ装着構造を有する血圧測定装置用耳掛け部の提供。【解決手段】    カフ装着部と装置本体とが別構成され、流体導管及び信号線を含む接続部により前記カフ装着部と装置本体とが接続される血圧測定装置用耳掛け部であって、接続部を保持するために複数の挿通孔からなる保持部を有してなることを特徴とする。耳掛け部は、少なくとも被験者の耳の対輪を抑えるための形状部を有していることを特徴とする。【選択図】図１
2006288579.tif 000002
【特許請求の範囲】
【請求項１】
カフ装着部と装置本体とが別構成され、流体導管及び信号線を含む接続部により前記カフ装着部と装置本体とが接続される血圧測定装置用耳掛け部であって、
前記接続部を保持するために複数の挿通孔からなる保持部を有してなることを特徴とする血圧測定装置用耳掛け部。
【請求項２】
前記耳掛け部は、少なくとも前記被験者の耳の対輪を抑えるための形状部を有していることを特徴とする請求項１に記載の血圧測定装置用耳掛け部。
【発明の詳細な説明】
【技術分野】
【０００１】
本発明は、血圧測定装置用耳掛け部に係り、特に耳介及びその周辺部を被測定部位とした血圧測定を行なうために使用される血圧測定装置に用いるための血圧測定装置用耳掛け部に関する。
【背景技術】
【０００２】
血圧は、外部環境や内部環境の変化に応じて刻々変動している。このため、一拍一拍を連続的に記録できれば理想的となるが、たとえ連続的に記録できなくても、１日における血圧を定期的（間欠的）に連続測定して血圧の経時変化を測定することにより、健康管理を行うことも重要である。
【０００３】
従来の血圧測定装置で定期的に血圧を測定する場合には、例えば、被測定者の上腕にカフを巻いて血圧を測定することになる。この場合には、上腕を覆う大きなサイズのカフと、このカフに接続される血圧測定装置の本体とを身体に装着する必要がある。
【０００４】
このため、血圧測定装置で定期的に血圧測定を行う場合には、被測定者は、カフを上腕に装着し、このカフに接続される血圧測定装置の本体とを身体に装着した状態で日常生活を送る必要があるが、これでは日常生活における支障が大きい。また被測定者は圧力測定のたびに上腕が圧迫されて痛みを感じるなどの負担をしいられる場合もある。
【０００５】
この点を考慮して、耳たぶにカフを装着し、耳たぶを圧迫することにより脈波を測定する方法がある（特許文献１）。これによれば、上腕にカフを装着して血圧を測定する血圧計よりもカフおよび本体を小型化することができ、被測定者の負担も軽減することができる。
【特許文献１】特開２００５−６９０６号公報
【発明の開示】
【発明が解決しようとする課題】
【０００６】
しかしながら、耳たぶで脈波や血圧を測定するとしても、耳たぶの血管は非常に細く、安定的及び正確に血圧を測定することは困難である。特に耳たぶの血管は外気温が低くなると収縮してしまい、なおさら安定的な測定は困難となる。
【０００７】
そこで、耳たぶに比べて血管の太い耳珠にカフを装着して血圧等を測定すれば、比較的上腕部に近い血圧が安定的に測定できるようになると考えられる。
【０００８】
ところが、耳たぶはソフトで比較的大きく露出度が高くてカフが装着しやすいが、耳珠は比較的硬く形状の個人差も激しいため、特許文献１で開示された耳タブ装着用カフの構造をそのまま耳珠用に転用することはできない。つまり、特許文献１に開示された装着部の構造を用いたとしても、耳珠部における血圧の測定結果を安定的に出すのは難しい。また、無理に装着しようとすると、被測定者への侵襲度が増加してしまう危険性もある。
【０００９】
本発明はこのような状況に鑑みてなされたものであり、頭部の適所、耳介及びその周辺においてもカフを安定して装着しながら、侵襲度を低く抑えながら単回または定期(所定間隔間毎)的に血圧を測定できる血圧測定装置用耳掛け部を提供するものである。
【課題を解決するための手段】
【００１０】
上記課題を解決するために、本発明による血圧測定装置用耳掛け部は、  カフ装着部と装置本体とが別構成され、流体導管及び信号線を含む接続部によりカフ装着部と装置本体とが接続される血圧測定装置用耳掛け部であって、接続部を保持するために複数の挿通孔からなる保持部を有してなることを特徴とする。
【００１１】
この耳掛け部は、少なくとも前記被験者の耳の対輪を抑えるための形状部を有していることを特徴とする。光電脈波方式、圧脈方式、コロトコフ音方式等各種測定方式の血圧測定装置に用いられることを特徴とする。
【００１２】
さらなる本発明の特徴は、以下本発明を実施するための最良の形態および添付図面によって明らかになるものである。
【発明の効果】
【００１３】
本発明の構成によれば、カフ装着の安定性を高めることができる。個人差に充分対応した位置を保ちつつ、正確な血圧測定を行うことができる。
【発明を実施するための最良の形態】
【００１４】
以下に図面を参照して、本発明に係る好適な実施形態の耳式血圧測定装置を説明する。
【００１５】
＜血圧測定装置外観＞
図１は、本実施形態に係る血圧装置１の全外観を示す図である。血圧測定装置１は、概ね、血圧測定演算を実行する本体２と、被測定者の頭部の適所(例えば耳介、側頭動脈等)に装着される装着部３と、装着部３の装着を安定化させるための耳掛け部５１と、本体２とカフ６，７を加圧／減圧するエアが通るための流体導管４及び配線（電気配線）５を結合するための結合部３００と、を備えている。
【００１６】
装着部３は、保持部材１０と、それに取り付けられた内側カフ組立体６及び外側カフ組立体７と、内側カフ及び外側カフの挟持幅を調節するための挟持幅調節ネジ１１と、装着安定部材８０とを備えている。
【００１７】
耳掛け部５１は、例えばメガネフレームの耳掛け部と同様な形状をなしており、さらに、被覆部材９に覆われた流体導管４及び配線５を通すための複数の配管保持部５２ａと形状部５１ｂを備えている。そして、形状部５１ｂの先端には、耳掛け安定部材５１ｃが設けられている。
【００１８】
結合部３００は、流体導管４及び配線５を本体２と結合するためのものであり、着脱可能な構成になっている。結合部３００を本体２に、結合部３００の係止部３２２が本体２の係止穴３２０に係止するまで挿入する。すると、結合部３００の雌コネクタ３０５が本体２の雄コネクタ３１８に、結合部３００の配管プラグ３０４が本体２の配管プラグ穴３１９に嵌合するようになっている。そして、着脱ボタン３０３を押下して係止部３２２を係止穴３２０から外して結合部３００を本体２から引き抜けば、結合部３００を本体２から取り外すことができる。
【００１９】
流体導管４及び配線５は被覆部材９で覆われており、その覆われた流体導管４及び配線５は、耳掛け部５１の配管保持部５２ａを通される。そして、ストッパ部材８１によって、流体導管４及び配線５が本体２側に不用意に引っ張られる長さを規制している。
【００２０】
一方、本実施形態では、装着部３側に引っ張られる長さの規制はない。ただし、耳掛け部５１に設けられた最後の配管保持部５１ａｌを挟んで両側にストッパ部材を設けることによって、耳掛け部５１から装着部３までの配管４の長さを規制しても良い。また、配管４は、装着部付近で２股に分離しており、一方は配線５と共に内側カフ組立体６に、もう一方は外側カフ組立体７に接続されている。
【００２１】
＜光電容積脈波血圧計の回路構成＞
図２は、携帯型血圧測定装置の一例としての光電容積脈波血圧測定装置の本体内における動作回路１００の構成を示すブロック図である。図において、頭部の適所である側頭動脈，耳介等に装着される装着部３の内側カフ（組立体）６の内部には、光電センサ（脈波センサ）を構成する発光素子であるＬＥＤ２０と受光素子であるフォトトランジスタ２１が含まれている。流体用導管４は前述の通り、ゴム管（エアチューブ）であり、内側カフ６内への空気の流路をなす。圧力ポンプ１０８は電動小型モータを駆動源としており、コンデンサータンク１０７中に圧縮空気を送り、整流後に内側カフ組立体６内に圧力空気を送り込む。また、流体用導管４から分岐接続される急排弁１０４は不図示の電磁弁機構が設けられており、内側カフ組立体６内の圧力を急速に減少させる。さらに同様に分岐接続される微排弁１０５は、内側カフ組立体６内の圧力を一定速度（例えば２〜３ｍｍＨｇ／ｓｅｃ）で減少させる。また、流体用導管４から分岐接続される圧力センサ１０６は、カフ６内の圧力に応じて電気的パラメータを変化させる。この圧力センサ１０６に接続される圧力検出アンプ（ＡＭＰ）１０７は、圧力センサ１０６の電気的パラメータを検出し、これを電気的信号に変換し、かつ増幅してアナログのカフ圧信号Ｐを出力する。
【００２２】
上記のＬＥＤ２０は脈動する血管血流に対して光を照射し、フォトトランジスタ２１は該血管血流による反射光を検出する。配線５を介して接続されるフィルタＡＭＰ１０９は脈波検出アンプであり、フォトトランジスタ２１の出力信号を増幅してアナログの脈波信号Ｍを出力する。ここで、ＬＥＤ２０には配線５を介して光量を自動的に変化させる光量制御部１１８が接続される一方で、脈波検出アンプ１０９には、ゲインを自動的に変化させるゲイン制御部１１９ａと、脈波検出フィルタ・アンプ１０９を構成するフィルタアンプ（図示せず）の時定数を変化させる時定数制御部１１９ｂとが接続されている。また、図示のように接続されるＡ／Ｄ変換器（Ａ／Ｄ）１１０は、アナログ信号Ｍ、ＰをデジタルデータＤに変換する。
【００２３】
制御部（ＣＰＵ）１１１は、光電容積脈波血圧計の主制御を行う。このＣＰＵ１１１は調整圧力を記憶する調整圧力レジスタ１１１ａを有している。
【００２４】
ＲＯＭ１１２は、ＣＰＵ１１１が実行する後述の制御プログラムを格納している。ＲＡＭ１１３は、データメモリや画像メモリ等を備えている。液晶表示器（ＬＣＤ）１１４は、画像メモリの内容を表示する。操作部１１６は、使用者の操作により測定開始指令や調整圧力値の設定等を行うときに使用される。ブザー１１５は、使用者に対して装置が操作部１１６内のキーの押し下げを感知したことや測定終了等を知らせる。尚、本例では、ＣＰＵ１１１に調整圧力レジスタ１１１ａを設けたが、ＲＡＭ１１３に調整圧力記憶部を設けてもよい。
【００２５】
また、ＬＣＤの表示パネル１４は、ドットマトリックス方式の表示パネルを使用しており、従って多様な情報（例えば文字、図形、信号波形等）を表示できる。また操作部１１６は測定開始スイッチ（ＳＴ）とカフの圧力値等を入力するためのキーを有している。また、バッテリーを交換自在にした電源部１２１と不図示の電源スイッチがさらに設けられている。
【００２６】
さらに、装置本体は不図示のコネクタまたは携帯電話に接続される外部通信部が設けられており、パソコンに対して接続することでパソコンの動作制御パラメータ設定部、データクリア部、データ保存部との間で各種データのやり取り及び血圧測定結果の保存をできるようにしている。
【００２７】
耳掛け部５１が耳に装着されると、形状部５１ｂが対輪脚から対輪にかけて伸びることになる。耳掛け部５１を耳に装着した状態では、形状部５１ｂの先端部５１ｃが対輪にあって、装着部３の装着安定部材８０が配置される付近に配置される。被覆部材９で覆われた流体導管４及び配線５が配管保持部５１ａで保持されて耳裏を通り、本体２につながっているので、流体導管４及び配線５が装着の邪魔になること無く、また、装着時にも被測定者が流体導管４及び配線５に煩わされることも無く、快適に被測定部位に装着部３を固定でき、カフ６，７が位置ずれを起こすことがなく、単回または定期的(所定間隔で間歇的)に血圧測定を実行することができるようになる。
【００２８】
耳掛け部５１は、図から明らかなように、例えばメガネフレームの耳掛けに類似した形状をしている。また、耳掛け部５１は、配管保持部５１ａと、形状部５１ｂと、形状部５１ｂの先端に設けられ、耳掛け部の装着を安定させるための先端部５１ｃとで構成される。
【００２９】
形状部５１ｂは、耳掛け部５１のＰ１点からＰ２点までは、耳側に切り込むようにカーブしている。また、Ｐ２点からＰ３点（先端部５１ｃ）までは耳から遠ざかるようにカーブしている。形状部５１ｂがこのような形状をなすことにより、形状部５１ｂの耳側にカーブした部分がちょうど、対輪脚から対輪に至るまでの湾曲した耳の形状に合致するようになっているのである。
【００３０】
このような形状部５１ｂの形状を採ることにより、被測定者によりフィット感を感じさせることができる。なお、本実施形態では耳掛け部５１を左耳用として説明しているが、右耳用としても提供することができるのはもちろんのことである。この場合には、形状部５１ｂのカーブは上述の場合とは逆になる。
【００３１】
このように装着された装着部３は、流体導管４及び配線５を介して装置本体２と接続されている。流体導管４は、カフ６，７の加圧時に空気を送り込んだり、減圧時にカフ６，７内の空気を排気するときに用いられる。また、配線５は、後述する光電脈波血圧測定のための各制御を実行する信号の送受信を後述の発光及び受光素子と装置本体２との間で行うための信号線である。
【００３２】
なお、装置本体２は、被測定者の胸ポケットに収納したり、腰に収納部を設けてそこに納めるようにしてもよい。
【００３３】
以上、実施例について説明したが、本願発明はこれに限られるものでなく、他の血圧測定方式、たとえば圧脈方式、コロトコフ音方式の血圧測定装置についても適用可能である。
【図面の簡単な説明】
【００３４】
【図１】本発明の実施例の外観図である。
【図２】本発明の実施例の構成例を示すブロック図である。
【符号の説明】
【００３５】
２  本体、３  装着部、４  流体導管、５  配線（信号・電源線）、１０  保持部材、５１  耳掛け部
【図１】
2006288579.tif 000003
【図２】
2006288579.tif 000004
【手続補正書】
【提出日】平成17年4月27日(2005.4.27)
【手続補正１】
【補正対象書類名】図面
【補正対象項目名】図１
【補正方法】変更
【補正の内容】
【図１】
2006288579.tif 000005